(57)【要約】【課題】コネクタと接続する電線を簡単に横だし規制できるようにする。【解決手段】コ字形状または半円環形状とした電線配線方向規制用のガイド枠を設け、該ガイド枠の両側先端に係止部を設けている一方、コネクタハウジングの端子挿入側面の端子挿入口の外周に、前記ガイド枠の両側を抜き差し自在に挿入するガイド枠取付部を設け、各ガイド枠取付部内に前記係止部と係止する被係止部を設け、または、コネクタハウジングの空きの端子収容室をガイド枠取付部として利用し、コネクタハウジングの端子挿入口から引き出される電線に前記ガイド枠を被せた状態で、該ガイド枠の両側を前記ガイド枠取付部に挿入係止して電線の配線方向を電線引出方向に対して屈折した方向にガイドできる構成としている。【選択図】図１
2010282764.tif 000002
【特許請求の範囲】
【請求項１】
コ字形状または半円環形状とした電線配線方向規制用のガイド枠を設け、該ガイド枠の両側先端に係止部を設けている一方、
コネクタハウジングの端子挿入側面の端子挿入口の外周に、前記ガイド枠の両側を抜き差し自在に挿入するガイド枠取付部を設け、各ガイド枠取付部内に前記係止部と係止する被係止部を設けており、
前記コネクタハウジングの端子挿入口から引き出される電線に前記ガイド枠を被せた状態で、該ガイド枠の両側を前記ガイド枠取付部に挿入し、前記係止部を被係止部と係止してロック固定し、電線の配線方向を電線引出方向に対して屈折した方向にガイドできる構成としていることを特徴とする配線方向規制構造。
【請求項２】
前記コネクタハウジングの端子挿入側面の少なくとも４隅に前記ガイド枠取付部を設け、上下左右の任意の屈折方向に前記ガイド枠で電線群の配線方向をガイドできるものとしている請求項１に記載の配線方向規制構造。
【請求項３】
コ字形状または半円環形状とした電線配線方向規制用のガイド枠を設け、該ガイド枠の両側先端に係止部を設け、該係止部はコネクタハウジングに設ける端子収容室内の端子用の被係止部と係止できる形状とし、
少なくとも２個の前記端子収容室を電線端末に接続する端子が挿入されない空き室とし、
前記コネクタハウジングの端子挿入口から引き出される電線に前記ガイド枠を被せた状態で、該ガイド枠の両側を前記空き端子収容室に挿入し、該ガイド枠の前記係止部を前記端子用の被係止部と係止してロック固定し、電線の配線方向を電線引出方向に対して屈折した方向にガイドできる構成としていることを特徴とする配線方向規制構造。
【請求項４】
前記ガイド枠は、前記コ字形状または半円環形状に樹脂成形した枠材とし、かつ、長さ方向の中央部にヒンジ部を設け、該ヒンジ部で両側を開いて電線群に被せて収容できる形状としている請求項１乃至請求項３のいずれか１項に記載の配線方向規制構造。
【請求項５】
前記ガイド枠の両側部は先端と間隔をあけて複数の係止部を設け、任意の係止部を前記ガイド枠取付部または空き端子収容室の被係止部と係止できるようにし、該ガイド枠により電線群を密嵌して囲めるようにしている請求項１乃至請求項４のいずれか１項に記載の配線方向規制構造。
【発明の詳細な説明】
【技術分野】
【０００１】
本発明は、配線方向規制構造に関し、詳しくは、自動車に配線される電線をコネクタに接続し、該コネクタから引き出される電線を、端子挿入口から引き出される電線方向と異なる任意の方向に屈折して配線方向を規制できるようにするものである。
【背景技術】
【０００２】
コネクタに接続された電線はコネクタの端子挿入口から引き出された後、所要の配線方向に屈曲して配線される場合が多い。この場合、従来は、図１１に示すように、コネクタ１００の端子挿入口１０１から引き出した電線群１０２を所要方向に横曲げし、横曲げした電線群１０２が横曲げ方向で平行状態となる位置で粘着テープ１０３で部分巻きして結束し、横曲げ方向に規制している。
【０００３】
前記のように、コネクタ１００から引き出される電線群１０２を横曲げするために粘着テープ１０３で結束すると、コネクタ１００の端子挿入側面１００ａから横曲げされた電線群１０２の外周側までの寸法Ｌが大きくなり、コネクタに近接配置した部材と干渉が生じる場合がある。また、粘着テープ１０３の巻付位置によっては、外周側の電線が膨んで横曲げされ、前記寸法Ｌに大きなバラツキが発生しやすい。かつ、テープ巻きで横曲げされた電線群１０２に所要位置で車体固定用のクランプ（図示せず）を取り付け、該クランプを車体に固定することによって横曲げ方向で固定される。よって、クランプ取付位置までは横曲げされた電線群の配線が安定しない問題もある。
【０００４】
接続した電線群を横曲げ方向に規制するコネクタとして、本出願人は実開平６−１１２６９号で図１２（Ａ）（Ｂ）に示すコネクタ１１０を提供している。
該コネクタ１１０は、コネクタハウンジグ１１１の端子挿入側面に、電線群１０２を囲む筒状のガイド部材１１２を連結ピン１１３を介して連結し、図１２（Ｂ）に示すようにガイド部材１１２を回転させて横向きとし、電線群１０２を横曲げしている。    
【０００５】
前記コネクタ１１０では、ガイド部材１１２を回転させることにより電線群１０２を強制的に横曲げし、横曲げ姿勢で電線群を安定させることができる利点を有しているが、コネクタ１１０から引き出される電線群をガイド部材１１２で一方向にしか横曲げできない問題がある。かつ、コネクタ１１０から引き出される全ての電線群が一方向に横曲げされる。よって、コネクタ１１０から引き出される電線群のうち、一部の電線群を他の方向に横曲げすることができない問題もある。
さらに、ガイド部材１１２をコネクタ１１０に予め取り付け、ガイド部材に電線を通した後に、コネクタ１１０の端子挿入口から電線端末の端子を端子収容室に挿入しているため、コネクタへの端子挿入作業がやりにくくなる問題もある。
【先行技術文献】
【特許文献】
【０００６】
【特許文献１】実開平６−１１２６９号公報
【発明の概要】
【発明が解決しようとする課題】
【０００７】
本発明は前記問題に鑑みてなされたもので、簡単な構成で、コネクタから引き出される電線を任意の曲げ方向に規制し、かつ、コネクタの端子挿入側端面から電線群の外周までの寸法を安定化できるようにし、さらに、コネクタに電線をガイド部材を通して挿入係止する不便さを無くすことを課題としている。
【課題を解決するための手段】
【０００８】
前記課題を解決するため、第１の発明として、コ字形状または半円環形状とした電線配線方向規制用のガイド枠を設け、該ガイド枠の両側先端に係止部を設けている一方、
コネクタハウジングの端子挿入側面の端子挿入口の外周に、前記ガイド枠の両側を抜き差し自在に挿入するガイド枠取付部を設け、各ガイド枠取付部内に前記係止部と係止する被係止部を設けており、
前記コネクタハウジングの端子挿入口から引き出される電線に前記ガイド枠を被せた状態で、該ガイド枠の両側を前記ガイド枠取付部に挿入し、前記係止部を被係止部と係止してロック固定し、電線の配線方向を電線引出方向に対して屈折した方向にガイドできる構成としていることを特徴とする配線方向規制構造を提供している。
【０００９】
前記のように、本発明では、コネクタの各端子収容室内に各電線の端末に接続した端子を挿入係止した後に、電線群にガイド枠を被せ、該ガイド枠の両側端をコネクタハウジングに設けたガイド枠取付部に挿入係止するだけで、ガイド枠により電線群を曲げ方向に規制することができる。かつ、ガイド枠はコ字形状または半円環形状の簡単な枠材としていると共に、コネクタはコネクタハウジングの表面に開口する溝または穴からなるガイド枠取付部を設けるだけで良いため、簡単に実施できる利点を有する。
また、コネクタハウジングに設けるガイド枠取付部の位置は、予めガイド枠を取り付ける位置に設けておいても良いが、コネクタハウジングの端子挿入側面の外周に沿って複数のガイド枠取付部を設けておくと、任意の位置のガイド枠取付部にガイド枠の両側端を挿入係止することで、上下左右のいずれの方向にも電線群を横曲げすることができ、電線群の横曲げ方向が一方向に特定されない利点を有する。
【００１０】
よって、前記コネクタハウジングの端子挿入側面には、少なくとも４隅に前記ガイド枠取付部を設け、上下左右の任意の屈折方向に前記ガイド枠で電線群の配線方向をガイドできるものとしていることが好ましい。
コネクタハウジングの上側の左右両側のガイド枠取付部にガイド枠の両側端を挿入係止すると、コネクタハウジングに対して上向きに電線群を屈曲できる。同様、下側の左右両側のガイド枠取付部に取り付けると下向きに曲げることができ、右側の上下両側のガイド枠取付部に取り付けると右曲げでき、左側の上下両側のガイド枠取付部に取り付けると左曲げすることができる。
さらに、右側の上下の取付穴と左側の上下の取付穴に夫々ガイド枠を取り付けて、一部の電線群を右曲げし、残りの電線群を左曲げすることもできる。同様に左右上側の取付穴と、左右下側の取付穴に夫々ガイド枠を取り付けて一部の電線群を上曲げ、残りの電線群を下曲げすることも可能である。
【００１１】
コネクタハウジングの端子挿入側面に設けるガイド枠取付部の穴または溝は、ガイド枠取り付け位置が決まっている２つでもよい。
コネクタを汎用の横出しコネクタとする場合には４隅に設けることが好ましい。
【００１２】
第２の発明として、コ字形状または半円環形状とした電線配線方向規制用のガイド枠を設け、該ガイド枠の両側先端に係止部を設け、該係止部はコネクタハウジングに設ける端子収容室内の端子用の被係止部と係止できる形状とし、
少なくとも２個の前記端子収容室を電線端末に接続する端子が挿入されない空き室とし、
前記コネクタハウジングの端子挿入口から引き出される電線に前記ガイド枠を被せた状態で、該ガイド枠の両側を前記空き端子収容室に挿入し、該ガイド枠の前記係止部を前記端子用の被係止部と係止してロック固定し、電線の配線方向を電線引出方向に対して屈折した方向にガイドできる構成としていることを特徴とする配線方向規制構造を提供している。
【００１３】
第２の発明では、コネクタハウジングにガイド枠取付部を設けておらず、電線が挿入されない空きの端子収容室（所謂、空きキャビテイ）をガイド枠取付部として利用し、該空きキャビテイからなるガイド枠取付部に第１の発明と同様なガイド枠を挿入係止している。この第２の発明では、コネクタは従来汎用されているコネクタを用いることができ、ガイド枠を取り付ける位置の端子収容室を空きとしておけばよく、ガイド枠を設けるだけでよいためため、より簡単に実施することができる。
【００１４】
前記ガイド枠は、前記コ字形状または半円環形状に樹脂成形した枠材とし、かつ、長さ方向の中央部にヒンジ部を設け、該ヒンジ部で両側を開いて電線群に被せて収容できる形状としている。
前記形状とすると、ガイド枠の一端係止部をガイド枠取付部または空きキャビテイに挿入係止した状態でヒンジ部を支点として開き、電線群を囲んだ状態で、ガイド枠の他端係止部をガイド枠取付部または空きキャビテイに挿入係止すると、簡単に電線群を囲むように取り付けることができる。
【００１５】
前記ガイド枠の両側部に、先端および該先端と間隔をあけて複数の係止部を設け、任意の係止部を前記ガイド枠取付部または空き端子収容室の被係止部と係止できるようにし、該ガイド枠により電線群を密嵌して囲めるようにすることが好ましい。
または、前記ガイド枠で囲む容積を予め電線群を密に内嵌できる大きさとし、ガイド枠により囲む電線が、弛むことなく強制的に曲げ方向に曲げられるようにしてもよい。
【００１６】
本発明のガイド枠を取り付けるコネクタの使用箇所は限定されないが、自動車内に部品が密に搭載され、電線の配線スペースが限られている箇所のコネクタに好適に用いられる。例えば、自動車のエンジンに固定した電気接続箱あるいは電子制御ユニットに設けたコネクタ収容部に嵌合するコネクタに好適に用いられる。
【００１７】
なお、本発明で用いるガイド枠はコネクタから引き出す電線の規制以外に、電気接続箱から引き出される電線群を横出しする場合にも用いることが可能である。即ち、電気接続箱のケースに設けた電線引き出し口の一方側壁にガイド枠の両側を挿入係止できる取付穴を設けておき、該取付穴にガイド枠の両側を挿入係止することで電気接続箱から引き出される電線群をケースの側面に沿わせて横出しすることができる。
【発明の効果】
【００１８】
前述したように、本発明では、コ字形状または半円環形状のガイド枠を設け、第１の発明ではコネクタの端子挿入側面の外周に設けたガイド枠取付部に、第２の発明では空きキャビテイにガイド枠の両側端を挿入係止するだけで、電線群を任意の曲げ方向に規制することができる。かつ、ガイド枠はコネクタに接続して端子挿入口から引き出される電線群に被せてコネクタハウジングに取り付けるため、コネクタへの電線群の接続作業は従来と同様であり、電線のコネクタ接続作業に影響を与えず、作業性が良い利点も有する。
【図面の簡単な説明】
【００１９】
【図１】本発明の第一実施形態を示し、（Ａ）が全体斜視図、（Ｂ）はコネクタの端子収容室に電線端末の端子を挿入係止している状態を示す断面図である。
【図２】（Ａ）はガイド枠の斜視図、（Ｂ）はガイド枠を薄肉ヒンジ部で開いた状態を示す側面図である。
【図３】（Ａ）はコネクタハウジングの正面図、（Ｂ）は（Ａ）のＢ−Ｂ線断面図である。
【図４】（Ａ）〜（Ｅ）は操作手順を示す図面である。
【図５】（Ａ）（Ｂ）（Ｃ）はワイヤハーネスの電線群の曲げ方向を変え示す図面である。
【図６】（Ａ）（Ｂ）はワイヤハーネスの電線群の曲げ方向を変えて示す図面である。
【図７】（Ａ）はガイド枠の第１変形例を示す斜視図、（Ｂ）は第２変形例を示す正面図である。
【図８】第二実施形態のコネクタとガイド枠の斜視図である。
【図９】（Ａ）は第二実施形態でコネクタの空き端子収容室にガイド枠を挿入する状態を示す断面図、（Ｂ）はガイド枠で電線群を横だししている状態を示す正面図である。
【図１０】ガイド枠の変形例を示す正面図である。
【図１１】（Ａ）（Ｂ）は従来例を示す図面である。
【図１２】（Ａ）（Ｂ）は他の従来例を示す図面である。
【発明を実施するための形態】
【００２０】
以下、本発明の実施形態を図面を参照して説明する。
図１乃至図６に第一実施形態を示す。
【００２１】
図１に示すコネクタ１は、電子制御ユニットのケース２の外面に設けたコネクタ収容部２ａに嵌合接続されるコネクタである。該コネクタ１は上下２段で１段に８個数、上下２段で１６個の端子収容室３をコネクタハウジング４内に設けている。該コネクタハウジング４の端子挿入側面４ａに端子収容室３の端子挿入口３ａを開口し、ワイヤハーネス６を構成する１６本の電線７の端末に夫々圧着接続した端子８を挿入し、端子収容室３内の各下面に設けた係止溝３ｃに、端子８の係止片８ａを係止して固定している。なお、端子収容室３に設ける係止部は突片からなるランスとし、端子に設ける係止穴や段差に係止する構成としてもよく、従来用いられている係止機構でよい。
【００２２】
前記コネクタ１に接続するワイヤハーネス６は、コネクタハウジング４の端子挿入側面４ａより引き出した電線７を図中右方向に屈折し、右方向に曲げ配線するものである。
【００２３】
前記電線７の配線方向を規制する略コ字形状のガイド枠１０を設けている。図２示すように、ガイド枠１０は樹脂成形品からなる前記略コ字形状の枠材からなり、両側の枠部１０ａ、１０ｂの先端にロック爪１０ｃ、１０ｄからなる係止部を突設している。また、該ガイド枠は可撓性を若干有するものとし、両側の枠部１０ａ、１０ｂを連結する連結部１０ｅの中心にヒンジ部１０ｆを設け、図２（Ｂ）に示すようにヒンジ部１０ｆを支点として開けるようにしている。
【００２４】
一方、前記コネクタ１のコネクタハウジング４の端子挿入側面４ａは、端子挿入口３ａを囲む外周部の４隅にガイド材取付部となる取付穴１２（１２Ａ〜１２Ｄ）を設けている。図３に示すように、各取付穴１２の内面に前記ロック爪１０ｃまたは１０ｄを係止する被係止部となるロック溝１２ａを設けている。該ロック溝１２ａは取付穴１２の軸線方向に沿って間隔をあけて複数設け、ガイド枠１０の両側の枠部１０ａ、１０ｂの挿入深さを調節できるようにしている。なお、ロック溝１２ａは１つでもよい。
【００２５】
前記ガイド枠１０によるワイヤハーネス６の電線７の配線方向の規制は、図４（Ａ）〜（Ｅ）に示す手順で行っている。
まず、図４（Ａ）に示すように、コネクタ１の端子挿入口３ａから各電線７の端末に接続した端子８を端子収容室３に挿入係止し、端子挿入側面４ａより電線７を引き出す。
次に、図４（Ｂ）に示すように、ガイド枠１０をヒンジ部１０ｆを支点として上側の枠部１０ａおよび連結部１０ｅの上側部を外向きに開いた状態として、該ガイド枠１０の下側の枠部１０ｂの端部を右下の取付穴１２Ｂに挿入し、先端のロック爪１０ｄをロック溝１２ａに係止してロックする。
其の際、ガイド枠１０の枠部１０ｂを電線７の下方に位置させる。
次に、図４（Ｃ）に示すように、全ての電線７を右方向にむけてガイド枠１０に囲まれた状態で横向きに屈折させる。
次いで、図４（Ｄ）に示すように、上側の枠部１０ａをヒンジ部１０ｆを支点として回転させ、枠部１０ａを先端より右上の取付穴１２Ａに挿入する。
この状態で、ガイド枠１０で全体電線７を密嵌して右側に直角曲げできるように枠部１０ａの先端のロック爪１０ｃをロック溝１２ａに係止してロック固定する。これにより、図４（Ｅ）に示す状態となる。
【００２６】
これにより、コネクタ１に接続されるワイヤハーネス６はガイド枠１０により右方向に横出し規制することができる。かつ、コネクタ１の端子挿入側面４ａからワイヤハーネス６の横だし寸法Ｌはガイド枠１０の連結部１０ｅの外面までの寸法に安定して保持できる。特に、前記図１１に示す部分テープ巻で横だしする場合と比較して、ガイド枠１０がコネクタハウジングに固定されることにより、前記寸法を一定に確実に保持できる。
【００２７】
また、図５（Ａ）に示すように、コネクタ１からワイヤハーネス６を左方向に横出しする場合は、ガイド枠１０の両端ロック爪１０ｃ、１０ｄを右下と右上の取付穴１２Ｄ、１２Ｃに挿入してロック溝とロックすればよい。
また、図５（Ｂ）に示すように、コネクタ１から上方向に屈折して曲げ配索する場合は、連結部１０ｅを長くしたガイド枠１０を用い、コネクタハウジング４に設けた右上および左上の取付穴１２Ａと１２Ｃに両側枠１０ａ、１０ｂを挿入し、ロック爪１０ｃ、１０ｄを取付穴１２Ａ、１２Ｃのロック溝１２ａとロック結合すればよい。同様に、コネクタ１から下方向に屈折して曲げ配索する場合も、図５（Ｃ）に示すように、コネクタハウジング４の右下と左下の取付穴１２Ｂ、１２Ｄにガイド枠１０の両側を取り付ければよい。
【００２８】
このように、コネクタ１の端子挿入側面４ａの４隅に取付穴１２Ａ〜１２Ｄを設けているため、上下左右いずれの任意の方向にガイド枠１０を用いる事で配線方向を規制することが出来る。
さらに、図６（Ａ）に示すように、右側の上下の取付穴１２Ａと１２Ｂ、左側の上下の取付穴１２Ｃと１２Ｄにそれぞれガイド枠１０を取り付けて、コネクタ１から引き出される右側の電線群を右曲げし、左側の電線群を左曲げすることもできる。同様に、左右の上側の取付穴１２Ａと１２Ｃ、左右の下側の取付穴１２Ｂと１２Ｄにそれぞれガイド枠１０を取付て、コネクタ１の上段の端子収容室に係止した電線７を上曲げ、下段の端子収容室に係止した電線を下曲げすることもできる。
【００２９】
図７（Ａ）（Ｂ）にガイド枠１０の変形例を示す。
図７（Ａ）に示す第１変形例のガイド枠１０は半円環形状とし、両側端にロック爪１０ｃ、１０ｄを設け、中央に薄肉ヒンジ部１０ｆを設けている。このように、半円環形状とすると、両側を挿入するコネクタハウジング側の取付穴１２の間隔が相違してもガイド枠１０を曲げて曲率を変えることで対応できる。
図７（Ｂ）に示す第２変形例のガイド枠１０では、略コ字形状としたガイド枠の両側１０ａ、１０ｂに、先端のロック爪１０ｃ、１０ｄと共に、間隔をあけて複数のロック爪１０ｇ、１０ｈをそれぞれ突設している。このように、ガイド枠１０側に複数のロック爪を設けておくと、コネクタハウジング４に設ける取付穴１２の内面に設けるロック溝１２ａを１つだけ設け、ガイド枠１０の両側の差し込み深さをロック溝１２ａに係止するロック爪を選択することで調節することができる。図７（Ａ）に示す半円環形状のガイド枠とした場合にも複数のロック爪を各両側に設けてもよい。
なお、ガイド枠の両側のロック爪を挿入係止する取付穴１２は貫通穴ではなく、溝としてもよい。
【００３０】
図８および図９に第二実施形態を示す。
第二実施形態は、コネクタ３０として汎用のコネクタを用いており、コネクタハウジング３１の端子挿入側面３１ａにはガイド枠取付部を設けておらず、この点で第一実施形態と相違させている。電線の配線方向を規制するガイド枠１０は第一実施形態と同様である。
【００３１】
図９に示すように、コネクタ３０のコネクタハウジング３１に上下４段で端子収容室３２を設けた多極のコネクタである。各端子収容室３２の内面には、電線７の端末に接続した端子８に設けた係止片８ａを係止する係止溝３２ｃが設けられている。前記ガイド枠１０の両側端のロック爪１０ｃ、１０ｄは前記係止溝３２ａと係止できる形状とし、端子８の係止片８ａと同様な形状としている。
【００３２】
また、コネクタ３０の右端位置の上下両端の端子収容室３２ｕと３２ｄは電線と接続しない空きキャビテイとしておき、該空きの端子収容室３２ｕ、３２ｄに前記第一実施形態と同様な手順でガイド枠１０の両側を挿入係止して、コネクタ３０に接続するワイヤハーネス６の電線群を右曲げして規制している。
電線群を左曲げする場合には左端の上下の端子収容室３２を空きとしてガイド枠１０を挿入係止し、電線群を左曲げする。
電線群を上曲げする場合には、上段の左右両端の端子収容室３２を空きとしてガイド枠１０を挿入係止し、電線群を上曲げする。同様に、電線群を下曲げする場合には下段の左右両端の端子収容室３２を空きとしてガイド枠１０を挿入係止し、電線群を下曲げする。
【００３３】
なお、端子収容室３２内に設けられる端子係止部が突出片であれば、ガイド枠の両側に突出片を挿入する係止穴をもうければよく、端子８と同様な係止部をもうければよい。
また、コネクタ３０は上下４段に限定されず、上下２段であっても、図１０に示すように、ガイド枠１０の両側を離反方向に傾斜させて電線の挿通容積を拡大すれば、対応することができる。
また、コネクタ３０の端子収容室３２には１つの係止部が設けられているため、ガイド枠１０の両側にそれぞれ複数段でロック部を設けることが好ましい。
【００３４】
前記した第二実施形態とすれば、ガイド枠１０を設けるだけでよく、コネクタは従来用いられている汎用のコネクタを利用することができる。
【符号の説明】
【００３５】
１  コネクタ
３、３２  端子収容室
４、３１  コネクタハウジング
４ａ、３１ａ  端子挿入側面
６  ワイヤハーネス
７  電線
８  端子
１０  ガイド枠
１０ａ  １０ｂ  両側の枠部
１０ｃ  １０ｄ  ロック爪
１０ｅ  連結部
１０ｆ  薄肉ヒンジ部
１２（１２Ａ〜１２Ｄ）  ガイド枠の取付穴
１２ａ  ロック溝
３２ｃ  係止溝
【図１】
2010282764.tif 000003
【図２】
2010282764.tif 000004
【図３】
2010282764.tif 000005
【図４】
2010282764.tif 000006
【図５】
2010282764.tif 000007
【図６】
2010282764.tif 000008
【図７】
2010282764.tif 000009
【図８】
2010282764.tif 000010
【図９】
2010282764.tif 000011
【図１０】
2010282764.tif 000012
【図１１】
2010282764.tif 000013
【図１２】
2010282764.tif 000014